(57)【要約】【課題】目的とする光沢度および濃度を実現するための適切な階調補正を行う。【解決手段】ＤＦＥ（画像処理装置）は、取得部５１Ｈと、生成部５１Ｉと、補正部と、第１出力部と、を備える。取得部５１Ｈは、目標濃度および目標光沢度に対応する基準階調値の設定された有色パッチ画像領域を規定した有色パッチ画像データに基づいて、画像形成部によって記録媒体に形成された有色パッチ画像の、濃度測定値および光沢度測定値を取得する。生成部５１Ｉは、濃度測定値および光沢度測定値が、目標濃度および目標光沢度に一致するように、有色トナーを付与する有色領域を規定した有色版データの階調値を補正するための階調補正情報を生成する。補正部は、有色版データの階調値を、階調補正情報を用いて補正する。第１出力部は、補正された有色版データを画像形成部へ出力する。【選択図】図９
2016063326.tif 000002
【特許請求の範囲】
【請求項１】
目標濃度および目標光沢度に対応する基準階調値の設定された有色パッチ画像領域を規定した有色パッチ画像データに基づいて、画像形成部によって記録媒体に形成された有色パッチ画像の、濃度測定値および光沢度測定値を取得する取得部と、
前記濃度測定値および前記光沢度測定値が、前記目標濃度および前記目標光沢度に一致するように、有色トナーを付与する有色領域を規定した有色版データの階調値を補正するための階調補正情報を生成する生成部と、
前記有色版データの階調値を、前記階調補正情報を用いて補正する補正部と、
補正された前記有色版データを前記画像形成部へ出力する第１出力部と、
を備えた、
画像処理装置。
【請求項２】
前記基準階調値と前記目標濃度との関係を定めた目標濃度情報と、前記目標濃度と前記目標光沢度との関係を定めた目標光沢度情報と、を予め記憶した記憶部を備え、
前記生成部は、
前記基準階調値と前記濃度測定値の関係が前記目標濃度情報に定めた関係と一致し、且つ、前記目標濃度と前記光沢度測定値との関係が、前記目標光沢度情報に定めた関係と一致するように、前記有色版データの階調値を補正するための前記階調補正情報を生成する、
請求項１に記載の画像処理装置。
【請求項３】
前記記憶部は、
前記有色パッチ画像データを含むパッチ画像データと、前記目標濃度情報と、前記目標光沢度情報と、を印刷条件に対応づけて予め記憶し、
当該画像処理装置は、
前記有色パッチ画像の形成指示と、前記印刷条件と、を受け付ける受付部と、
前記形成指示を受け付けた場合、受け付けた前記印刷条件に対応する前記パッチ画像データを前記画像形成部へ出力する第２出力部と、
を備え、
前記生成部は、
前記基準階調値と前記濃度測定値との関係が、受け付けた前記印刷条件に対応する前記目標濃度情報に定めた関係と一致し、且つ、前記目標濃度と前記光沢度測定値との関係が、受け付けた前記印刷条件に対応する前記目標光沢度情報に定めた関係と一致するように、前記有色版データの階調値を補正するための前記階調補正情報を生成し、該印刷条件に対応づけて前記記憶部に記憶し、
前記補正部は、
前記有色版データの画像形成時の前記印刷条件に対応する前記階調補正情報を用いて、前記有色版データの階調値を補正する、
請求項２に記載の画像処理装置。
【請求項４】
前記印刷条件は、画像形成に用いるトナーのトナー種を示すトナー種情報と、前記記録媒体に対する前記トナー種情報によって示されるトナー種のトナーの付与順と、を含む、請求項３に記載の画像処理装置。
【請求項５】
前記印刷条件は、有色トナーと、特色トナーと、の各々を前記トナー種として示す前記トナー種情報を含む、請求項４に記載の画像処理装置。
【請求項６】
前記印刷条件は、有色トナーと、特色トナーおよび白色トナーの少なくとも一方と、を前記トナー種として示す前記トナー種情報を含む、請求項４に記載の画像処理装置。
【請求項７】
前記印刷条件は、前記トナー種情報と、前記付与順と、画像形成対象の前記記録媒体の種類を示す媒体種情報と、を含む、請求項４〜請求項６の何れか１項に記載の画像処理装置。
【請求項８】
前記印刷条件は、濃度および光沢度の測定対象面を示す測定対象面情報を含み、
前記取得部は、
前記画像形成部によって前記記録媒体に形成された前記有色パッチ画像の、前記印刷条件に含まれる前記測定対象面情報によって示される測定対象面側から測定された、前記濃度測定値および前記光沢度測定値を取得する、請求項１〜請求項７の何れか１項に記載の画像処理装置。
【請求項９】
目標濃度および目標光沢度に対応する基準階調値の設定された有色パッチ画像領域を規定した有色パッチ画像データに基づいて、画像形成部によって記録媒体に形成された有色パッチ画像の、濃度測定値および光沢度測定値を取得するステップと、
前記濃度測定値および前記光沢度測定値が、前記目標濃度および前記目標光沢度に一致するように、有色トナーを付与する有色領域を規定した有色版データの階調値を補正するための階調補正情報を生成するステップと、
前記有色版データの階調値を、前記階調補正情報を用いて補正するステップと、
補正された前記有色版データを前記画像形成部へ出力するステップと、
を含む画像処理方法。
【請求項１０】
目標濃度および目標光沢度に対応する基準階調値の設定された有色パッチ画像領域を規定した有色パッチ画像データに基づいて、画像形成部によって記録媒体に形成された有色パッチ画像の、濃度測定値および光沢度測定値を取得するステップと、
前記濃度測定値および前記光沢度測定値が、前記目標濃度および前記目標光沢度に一致するように、有色トナーを付与する有色領域を規定した有色版データの階調値を補正するための階調補正情報を生成するステップと、
前記有色版データの階調値を、前記階調補正情報を用いて補正するステップと、
補正された前記有色版データを前記画像形成部へ出力するステップと、
をコンピュータに実行させるためのプログラム。
【請求項１１】
目標濃度および目標光沢度に対応する基準階調値の設定された有色パッチ画像領域を規定した有色パッチ画像データに基づいて、画像形成部によって記録媒体に形成された有色パッチ画像の、濃度測定値および光沢度測定値を取得する取得部と、
前記濃度測定値および前記光沢度測定値が、前記目標濃度および前記目標光沢度に一致するように、有色トナーを付与する有色領域を規定した有色版データの階調値を補正するための階調補正情報を生成する生成部と、
前記有色版データの階調値を、前記階調補正情報を用いて補正する補正部と、
補正された前記有色版データを前記画像形成部へ出力する第１出力部と、
を備えた、画像処理装置と、
前記画像形成部と、
を備えた画像処理システム。
【発明の詳細な説明】
【技術分野】
【０００１】
本発明は、画像処理装置、画像処理方法、プログラム、および画像処理システムに関する。
【背景技術】
【０００２】
画像形成装置で形成したパターン画像の濃度を計測し、計測した濃度を用いて、印刷対象の画像データの階調値に対応する記録媒体に記録したときの濃度が所望の濃度となるように、該画像データの階調値を補正する技術が知られている。例えば、特許文献１には、透明な記録材上に形成されたトナー像のトナー載り量を、透明な記録材を透過した透過光を検出することで検知し、検知結果に基づいて、画像データの階調値を補正する技術が開示されている。
【発明の概要】
【発明が解決しようとする課題】
【０００３】
ここで、記録媒体にトナーを付与することで、記録媒体に所望の光沢度を与える場合がある。しかし、従来では、光沢度を加味した階調値の補正がなされておらず、濃度および光沢度に応じた階調補正が適切になされていない、という問題があった。
【課題を解決するための手段】
【０００４】
上述した課題を解決し、目的を達成するために、本発明にかかる画像処理装置は、目標濃度および目標光沢度に対応する基準階調値の設定された有色パッチ画像領域を規定した有色パッチ画像データに基づいて、画像形成部によって記録媒体に形成された有色パッチ画像の、濃度測定値および光沢度測定値を取得する取得部と、前記濃度測定値および前記光沢度測定値が、前記目標濃度および前記目標光沢度に一致するように、有色トナーを付与する有色領域を規定した有色版データの階調値を補正するための階調補正情報を生成する生成部と、前記有色版データの階調値を、前記階調補正情報を用いて補正する補正部と、補正された前記有色版データを前記画像形成部へ出力する第１出力部と、を備える。
【発明の効果】
【０００５】
本発明によれば、目的とする光沢度および濃度を実現するための適切な階調補正を行うことができる、という効果を奏する。
【図面の簡単な説明】
【０００６】
【図１】図１は、実施の形態の画像処理システムの構成の一例を示す図である。
【図２】図２は、有色版データの一例を示す説明図である。
【図３】図３は、表面効果の種類の説明図である。
【図４】図４は、光沢制御版データの一例を示す説明図である。
【図５】図５は、階調値選択テーブルの一例を示す図である。
【図６】図６は、描画オブジェクト、座標、階調値との対応関係を示す図である。
【図７】図７は、印刷データ、およびパッチ印刷データの構成例を示す模式図である。
【図８】図８は、ＤＦＥのブロック図である。
【図９】図９は、レンダリング処理部の機能ブロック図である。
【図１０】図１０は、印刷条件の説明図である。
【図１１】図１１は、印刷条件の説明図である。
【図１２】図１２は、目標濃度情報の一例を示す図である。
【図１３】図１３は、目標光沢度情報の一例を示す図である。
【図１４】図１４は、目標濃度情報の他の例を示す図である。
【図１５】図１５は、目標光沢度情報の他の例を示す図である。
【図１６】図１６は、有色パッチ画像データの一例を示す図である。
【図１７】図１７は、クリアパッチ画像データの一例を示す図である。
【図１８】図１８は、パッチ画像データの一例を示す模式図である。
【図１９】図１９は、階調補正情報生成の説明図である。
【図２０】図２０は、階調補正情報生成の説明図である。
【図２１】図２１は、階調補正情報生成の説明図である。
【図２２】図２２は、階調補正情報生成の説明図である。
【図２３】図２３は、表面効果選択テーブルのデータ構成を例示する図である。
【図２４】図２４は、ＭＩＣと画像形成部を示す模式図である。
【図２５】図２５は、ＤＦＥが実行する画像処理の手順を示すフローチャートである。
【図２６】図２６は、画像処理システムの構成を例示する図である。
【図２７】図２７は、サーバ装置の機能的構成を示すブロック図である。
【図２８】図２８は、ＤＦＥの機能的構成を示すブロック図である。
【図２９】図２９は、画像処理の流れを示すシーケンス図である。
【図３０】図３０は、クラウド上に２つのサーバを設けたネットワーク構成図である。
【図３１】図３１は、ハードウェア構成図である。
【発明を実施するための形態】
【０００７】
以下に添付図面を参照して、画像処理装置、画像処理方法、プログラム、および画像処理システムの実施の形態を詳細に説明する。
【０００８】
（第１の実施の形態）
図１は、本実施の形態の画像処理システムの構成の一例を示す図である。画像処理システムは、ホスト装置１０と、プリンタ制御装置（ＤＦＥ：Ｄｉｇｉｔａｌ  Ｆｒｏｎｔ  Ｅｎｄ）５０（以下、「ＤＦＥ５０」という）と、インタフェースコントローラ（ＭＩＣ：Ｍｅｃｈａｎｉｓｍ  Ｉ／Ｆ  Ｃｏｎｔｒｏｌｌｅｒ）６０（以下、「ＭＩＣ６０」という）と、画像形成部１８と、を含む。
【０００９】
ＤＦＥ５０は、画像処理装置に相当する。ＤＦＥ５０は、ＭＩＣ６０を介して画像形成部１８と通信を行い、画像形成部１８での画像の形成を制御する。また、ＤＦＥ５０には、ＰＣ（Ｐｅｒｓｏｎａｌ  Ｃｏｍｐｕｔｅｒ）等のホスト装置１０が接続されている。ＤＦＥ５０は、ホスト装置１０から画像データを受信する。ＤＦＥ５０は、受信した画像データを用いて、画像形成部１８がトナー像を形成するための出力データを生成し、ＭＩＣ６０を介して画像形成部１８へ送信する。
【００１０】
画像形成部１８は、本実施の形態では、プリンタ機１２と、グロッサ１４と、低温定着機１６と、を含む。なお、画像形成部１８は、少なくともプリンタ機１２を含む構成であればよく、グロッサ１４および低温定着機１６の少なくとも一方を備えない構成であってもよい。
【００１１】
プリンタ機１２には、ＣＭＹＫの有色トナーと、特色トナーと、白色トナーと、が搭載されており、各トナーに対して感光体、帯電器、現像器および感光体クリーナを含む作像ユニット、露光器および定着機が各々搭載されている。すなわち、プリンタ機１２は、公知の電子写真方式の画像形成装置である。グロッサ１４および低温定着機１６は、後処理装置として機能する。
【００１２】
特色トナーとは、色材を含まない透明な（無色の）クリアトナーや、金色や銀色などの光沢色のトナーである。なお、透明（無色）とは、例えば、透過率が７０％以上であることを示す。本実施の形態では、特色トナーとして、クリアトナーを用いる場合を一例として説明する。
【００１３】
プリンタ機１２は、ＤＦＥ５０から、ＭＩＣ６０を介して出力データを受け付ける。プリンタ機１２は、出力データに含まれる画像データに応じて、露光器から光ビームを照射して各トナーに応じたトナー像を感光体上に形成して、これを記録媒体に転写しこれを定着機によって所定の範囲内の温度（通常温度）での加熱および加圧で定着させる。これによって記録媒体に画像が形成される。このようなプリンタ機１２の構成については周知であるため、ここでその詳細な説明を省略する。
【００１４】
なお、記録媒体は、画像を形成される媒体である。記録媒体は、例えば、紙媒体、合成紙、ビニール紙などであるが、これらに限定されない。
【００１５】
プリンタ機１２は、濃度測定部２０と、光沢度測定部２２と、を備える。濃度測定部２０は、記録媒体上に形成された画像の濃度を測定する。濃度測定部２０は、画像の濃度を測定可能な、公知の濃度測定器である。光沢度測定部２２は、記録媒体上に形成された画像の光沢度を測定する。光沢度測定部２２は、画像の光沢度を測定可能な、公知の光沢度測定器である。濃度測定部２０および光沢度測定部２２は、直接、またはＭＩＣ６０を介してＤＦＥ５０に接続されており、測定した濃度測定値、および測定した光沢度測定値を、ＤＦＥ５０へ出力する。
【００１６】
なお、本実施の形態では、濃度測定部２０および光沢度測定部２２は、プリンタ機１２に設けられた構成である場合を説明するが、濃度測定部２０および光沢度測定部２２は、画像処理システムに含まれる構成であればよく、プリンタ機１２に設けられた構成に限定されない。すなわち、濃度測定部２０および光沢度測定部２２は、例えば、ＤＦＥ５０に設けられた構成であってもよいし、ＤＦＥ５０およびプリンタ機１２とは別体として設けられた構成であってもよい。
【００１７】
グロッサ１４は、ＤＦＥ５０から指定されるオンオフ情報により、オンまたはオフが制御される。グロッサ１４は、オンにされた場合、プリンタ機１２により記録媒体に形成された画像を高温および高圧で加圧し、冷却した後に、画像の形成された記録媒体を本体から剥離する。これにより記録媒体に形成された画像全体において、所定以上のトナーが付着した各画素のトナーの総付着量は均一に圧縮される。低温定着機１６には、クリアトナー用の感光体、帯電器、現像器および感光体クリーナを含む作像ユニット、露光器および当該クリアトナーを定着させるための定着機が搭載されている。低温定着機１６は、低温定着機１６で用いるクリアトナー版データを、ＭＩＣ６０を介してＤＦＥ５０から受け付ける。低温定着機１６は、受け付けたクリアトナー版データを用いて、クリアトナーによるトナー像を形成し、グロッサ１４が加圧した記録媒体上に当該クリアトナー像を重ねて、定着機によって通常よりも低い加熱または加圧で記録媒体に定着させる。
【００１８】
ここで、ＤＦＥ５０がホスト装置１０から受け付ける印刷データについて説明する。ホスト装置１０は、予めインストールされた画像処理アプリケーションにより印刷データを生成し、ＤＦＥ５０に送信する。このような画像処理アプリケーションでは、ＲＧＢ版やＣＭＹＫ版などの各色版における各色の濃度の値（濃度値という）を画素毎に規定した画像データに対して、特色版の画像データを取り扱うことが可能である。特色版とは、特色トナーや特色インクを付着させるための画像データであり、このような特色トナーや特色インクを搭載した画像形成部１８で処理可能なデータである。
【００１９】
本実施の形態では、特色トナーとしてのクリアトナーを、記録媒体に付与する視覚的または触覚的な効果である表面効果を形成するために用いる。
【００２０】
このため、ホスト装置１０の画像処理アプリケーションは、入力された画像形成対象の画像データに対して、有色版データと、光沢制御版データ、とを生成する。
【００２１】
有色版データとは、有色トナーを付与する有色領域を規定した画像データである。具体的には、有色版データとは、画素毎に、ＲＧＢやＣＭＹＫ等の有色の階調値を規定した画像データである。この有色版データは、ユーザによる色の指定により、１画素を８ビットで表現する。これにより、各画素の階調値として、「０」〜「２５５」の値が定められる。図２は、有色版データの一例を示す説明図である。図２において、「Ａ」、「Ｂ」、「Ｃ」等の描画オブジェクトごとにユーザが画像処理アプリケーションで指定した色に対応する階調値が付与される。
【００２２】
また、光沢制御版データとは、用紙に付与する視覚的または触覚的な効果である表面効果に応じたクリアトナーを付着させる制御を行うため、当該表面効果の与えられる領域および当該表面効果の種類を特定した画像データである。
【００２３】
この光沢制御版データは、有色版データと同様に画素毎に８ビットで「０」〜「２５５」の範囲の階調値で表され、この階調値に、表面効果の種類が対応付けられる（階調値は１６ビットや３２ビット、または０〜１００％で表してもよい）。また、同一の表面効果を与えたい範囲には実際に付着するクリアトナーの濃度と関係なく同一の階調値が設定される。このため、光沢制御版データは、領域を示すデータがなくとも必要に応じて該光沢制御版データから容易に領域を特定できる。即ち、光沢制御版データによって、表面効果の種類と、表面効果を与える領域とが表される（領域を表すデータを別途付与してもよい）。
【００２４】
ホスト装置１０は、ユーザが画像処理アプリケーションにより指定した描画オブジェクトに対する表面効果の種類を、描画オブジェクトごとに光沢制御値としての階調値として設定することで、ベクタ形式の光沢制御版データを生成する。
【００２５】
この光沢制御版データを構成する各画素は、有色版データの画素に対応する。なお、各画像データ（ＣＭＹＫの有色版データ、光沢制御版データ）においては、各画素の表す階調値が画素値となる。また、有色版データおよび光沢制御版データは共にページ単位で構成される。
【００２６】
表面効果の種類としては、大別して、光沢の有無に関するものや、表面保護や、情報を埋め込んだ透かしや、テクスチャなどがある。図３は、表面効果の種類の説明図である。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）およびつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００２７】
鏡面光沢やベタ光沢は、光沢を与える度合いが高く、逆に、網点マットやつや消しは、光沢を抑えるためのものであり、特に、つや消しは、通常の用紙が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。なお、処理対象の画像データによって表される画像のどの領域に表面効果を与えるのかや、その領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザが指定した表面効果に対応する階調値がセットされることにより、光沢制御版データが生成される。階調値と表面効果の種類との対応関係については後述する。
【００２８】
図４は、光沢制御版データの一例を示す説明図である。図４に示す例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された階調値は、後述の階調値選択テーブル（図５参照）で、表面効果の種類に対応して定められた階調値である。
【００２９】
このように、特色版の画像データである、光沢制御版データは、ホスト装置１０の画像処理アプリケーションにより、有色版データとは別のプレーン（版）として生成される。本実施の形態では、有色版データ、光沢制御版データ、の各データ形式は、ＰＤＦ（Ｐｏｒｔａｂｌｅ  Ｄｏｃｕｍｅｎｔ  Ｆｏｒｍａｔ）形式である場合を説明する。ホスト装置１０は、各版のＰＤＦの画像データ（有色版データ、光沢制御版データ）を統合して、原稿データとして生成する。なお、各版の画像データ（有色版データ、光沢制御版データ）のデータ形式は、ＰＤＦに限定されるものではなく、任意の形式を用いることができる。
【００３０】
ここで、ホスト装置１０の画像処理アプリケーションは、ユーザが指定した表面効果の種類を、階調値に変換することで、光沢制御版データを生成する。かかる変換は、ホスト装置１０の記憶部に予め記憶された階調値選択テーブルを参照して行われる。階調値選択テーブルは、表面効果の種類と、当該表面効果の種類に対応する光沢制御版データの階調値とを対応付けたテーブルデータである。
【００３１】
図５は、階調値選択テーブルの一例を示す図である。図５の例では、ユーザにより「ＰＧ」（鏡面光沢）が指定された領域に対応する光沢制御版データの階調値は「２５０」であり、「Ｇ」（ベタ光沢）が指定された領域に対応する光沢制御版データの階調値は「２３０」であり、「Ｍ」（網点マット）が指定された領域に対応する光沢制御版データの階調値は「４１」であり、「ＰＭ」（つや消し）が指定された領域に対応する光沢制御版データの階調値は「１５」である。
【００３２】
この階調値選択テーブルは、ＤＦＥ５０で記憶している表面効果選択テーブル（後述）と同一のデータであり、ホスト装置１０の制御部が所定のタイミングで表面効果選択テーブルを取得して、取得した表面効果選択テーブルから生成して（コピーして）記憶部に保存する。ここで、図５では、階調値選択テーブルの例を簡略化して示しているが、実際は、階調値選択テーブルは、図２３の表面効果選択テーブルと同一のテーブルとなっている。なお、インターネット等のネットワーク上のストレージサーバ（クラウド）に表面効果選択テーブルを保存しておき、ホスト装置１０の制御部が当該サーバから表面効果選択テーブルを取得して、取得した表面効果選択テーブルから生成（コピー）するように構成してもよい。ただし、ＤＦＥ５０で記憶している表面効果選択テーブルとホスト装置１０の記憶部に保存されている階調値選択テーブルとは同じデータである必要がある。
【００３３】
具体的には、ホスト装置１０の画像処理アプリケーションは、図５に示す階調値選択テーブルを参照しながら、ユーザにより所定の表面効果が指定された描画オブジェクトの階調値（光沢制御値）を、当該表面効果の種類に応じた値に設定することで、光沢制御版データを生成する。例えばユーザにより、図２に示した有色版データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、階調値選択テーブルを参照して、ユーザにより「ＰＧ」が指定された描画オブジェクト（「ＡＢＣ」）の階調値を「２５０」に設定し、「Ｇ」が指定された描画オブジェクト（「長方形」）の階調値を「２３０」に設定し、「Ｍ」が指定された描画オブジェクト（「円形」）の階調値を「４１」に設定することで、光沢制御版データを生成する。ホスト装置１０で生成された光沢制御版データは、点の座標と、それを結ぶ線や面の方程式のパラメータ、および、塗り潰しや特殊効果などを示す描画オブジェクトの集合として表現されるベクタ形式のデータである。図４は、この光沢制御版データをイメージとして示した図であり、図６は、図４の光沢制御版データにおいて、描画オブジェクト、座標、階調値との対応関係を示す図である。
【００３４】
ホスト装置１０は、有色版データと、印刷条件（詳細後述）と、を含む印刷データを生成する。印刷データには、第１印刷データと、第２印刷データがある。
【００３５】
第１印刷データは、有色版データと、印刷条件と、を含む印刷データである。第２印刷データは、有色版データと、光沢制御版データと、印刷条件と、を含む印刷データである。
【００３６】
ホスト装置１０は、ユーザにより表面効果が指定された場合には、光沢制御版データを生成し、光沢制御版データと、有色版データと、印刷条件と、を含む第２印刷データを生成する。一方、ホスト装置１０は、ユーザによる表面効果の指定がなされなかった場合には、有色版データと、印刷条件と、を含む第１印刷データを生成する。
【００３７】
ここで、実際に記録媒体に形成された画像の濃度や光沢度が、印刷データに含まれる各画像データの階調値に対応する目的とする濃度や目的とする光沢度とは、異なるものとなる場合がある。そこで、本実施の形態の画像処理システムでは、有色パッチ画像の印刷を行い、有色パッチ画像の濃度測定値および光沢度測定値を用いて、階調値の補正（ガンマ補正と称される場合もある）に用いる階調補正情報（詳細後述）を生成する。
【００３８】
ホスト装置１０は、ユーザによる図示を省略する入力部の操作指示によって、該入力部から有色パッチ画像の形成指示と、印刷条件と、を受け付けると、パッチ画像の形成指示と、受け付けた印刷条件と、を含むパッチ印刷データを生成し、ＤＦＥ５０へ出力する。有色パッチ画像、および印刷条件については、詳細を後述する。
【００３９】
図７は、印刷データ（第１印刷データ、第２印刷データ）、およびパッチ印刷データの構成例を概念的に示す模式図である。図７（Ａ）は、第１印刷データの構成例を概念的に示す模式図である。図７（Ａ）に示すように、第１印刷データは、印刷条件と、有色版データと、を含む。図７（Ｂ）は、第２印刷データの構成例を概念的に示す模式図である。第２印刷データは、印刷条件と、有色版データと、光沢制御版データと、を含む。図７（Ｃ）は、パッチ印刷データの構成例を概念的に示す模式図である。図７（Ｃ）に示すように、パッチ印刷データは、印刷条件と、有色パッチ画像の形成指示と、を含む。
【００４０】
なお、図７には、印刷条件のデータ形式として、ＪＤＦ（登録商標）（Ｊｏｂ  Ｄｅｆｉｎｉｔｉｏｎ  Ｆｏｒｍａｔ）を用いた例を示したが、ＪＤＦに限られるものではない。また、印刷データおよびパッチ印刷データは、ＰｏｓｔＳｃｒｉｐｔのようなページ記述言語（ＰＤＬ）に変換されてもよいし、ＤＦＥ５０が対応していれば、ＰＤＦ形式のままでもよい。
【００４１】
ＤＦＥ５０は、ホスト装置１０から、印刷データ（第１印刷データまたは第２印刷データ）、または、パッチ印刷データを受け付ける。図８は、ＤＦＥ５０のブロック図である。ＤＦＥ５０は、レンダリング処理部５１と、ｓｉ１部５２と、補正部５３と、ｓｉ２部５４と、ハーフトーンエンジン５５と、クリアプロセッシング５６と、ｓｉ３部５７と、第１出力部５８と、記憶部５９と、を備える。
【００４２】
レンダリング処理部５１、ｓｉ１部５２、補正部５３、ｓｉ２部５４、ハーフトーンエンジン５５、クリアプロセッシング５６、ｓｉ３部５７、および第１出力部５８の一部またはすべては、例えば、ＣＰＵ（Ｃｅｎｔｒａｌ  Ｐｒｏｃｅｓｓｉｎｇ  Ｕｎｉｔ）などの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００４３】
ｓｉ１部５２、ｓｉ２部５４、およびｓｉ３部５７はいずれも、画像データを分離する（ｓｅｐａｒａｔｅ）機能と、画像データを統合する（ｉｎｔｅｇｒａｔｅ）機能とを有する。
【００４４】
ＤＦＥ５０には、入力部２８および表示部２９が接続されている。入力部２８は、キーボードやマウス等の入力デバイスである。表示部２９は、ディスプレイ装置等の表示デバイスである。
【００４５】
レンダリング処理部５１は、ホスト装置１０から印刷データまたはパッチ印刷データを受け付ける。印刷データを受け付けた場合、レンダリング処理部５１は、印刷データを言語解釈し、ベクタ形式の有色版データをラスタ形式に変換すると共に、ＲＧＢ形式等で表現された色空間をＣＭＹＫ形式の色空間に変換して、ＣＭＹＫの各８ビットの有色版データとする。また、レンダリング処理部５１は、ベクタ形式の光沢制御版データをラスタ形式に変換し、８ビットの光沢制御版データとする。そして、レンダリング処理部５１は、８ビットのＣＭＹＫの有色版データ、および８ビットの光沢制御版データ、をｓｉ１部５２へ出力する。
【００４６】
一方、レンダリング処理部５１は、ホスト装置１０からパッチ印刷データを受け付けた場合、パッチ画像処理を実行する（詳細後述）。
【００４７】
図９は、レンダリング処理部５１の機能ブロック図である。レンダリング処理部５１は、受付部５１Ａと、判別部５１Ｂと、レンダリング部５１Ｃと、第３出力部５１Ｄと、パッチ画像処理部５１Ｆと、を含む。
【００４８】
受付部５１Ａ、判別部５１Ｂ、レンダリング部５１Ｃ、第３出力部５１Ｄ、およびパッチ画像処理部５１Ｆの一部またはすべては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【００４９】
受付部５１Ａは、印刷データ、または、パッチ印刷データをホスト装置１０から受け付ける。上述したように、印刷データは、第１印刷データまたは第２印刷データである。第１印刷データは、有色版データと、印刷条件と、を含む。第２印刷データは、有色版データと、光沢制御版データと、印刷条件と、を含む。パッチ印刷データは、印刷条件と、有色パッチ画像の形成指示と、を含む。
【００５０】
判別部５１Ｂは、ホスト装置１０から受け付けたデータが、印刷データであるか、パッチ印刷データであるか、を判別する。判別部５１Ｂは、ホスト装置１０から受け付けたデータが印刷データである場合、レンダリング部５１Ｃに印刷データを出力する。一方、判別部５１Ｂは、ホスト装置１０から受け付けたデータがパッチ印刷データである場合、パッチ画像処理部５１Ｆへパッチ印刷データを出力する。
【００５１】
レンダリング部５１Ｃは、受け付けた印刷データに含まれる有色版データを言語解釈し、ベクタ形式の有色版データをラスタ形式に変換すると共に、ＲＧＢ形式等で表現された色空間をＣＭＹＫ形式の色空間に変換して、ＣＭＹＫの各８ビットの有色版データとする。また、印刷データに光沢制御版データが含まれる場合には、レンダリング部５１Ｃは、ベクタ形式の光沢制御版データをラスタ形式に変換し、８ビットの光沢制御版データとする。
【００５２】
そして、レンダリング部５１Ｃは、８ビットのＣＭＹＫの有色版データ、および８ビットの光沢制御版データ、をｓｉ１部５２（図８参照）へ出力する。
【００５３】
パッチ画像処理部５１Ｆは、パッチ印刷データを受け付けると、パッチ画像処理を実行する。パッチ画像処理は、有色パッチ画像の印刷制御や、階調補正情報の生成処理などを含む。
【００５４】
パッチ画像処理部５１Ｆは、第２出力部５１Ｇと、取得部５１Ｈと、生成部５１Ｉと、を含む。
【００５５】
第２出力部５１Ｇは、受け付けたパッチ印刷データに含まれる、印刷条件に対応するパッチ画像データを記憶部５９から読取り、ＭＩＣ６０を介して画像形成部１８へ出力する。
【００５６】
ここで、記憶部５９に記憶されているデータについて説明する。
【００５７】
記憶部５９は、印刷条件と、目標濃度情報と、を予め対応づけて記憶する。また、記憶部５９は、印刷条件と、目標光沢度情報と、を予め対応づけて記憶する。また、記憶部５９は、印刷条件と、パッチ画像データと、を予め対応づけて記憶する。
【００５８】
まず、印刷条件について説明する。印刷条件とは、記録媒体への画像形成時の条件を示す。本実施の形態では、印刷条件は、画像形成部１８に対する各種設定を示す情報である。具体的には、印刷条件は、画像形成に用いるトナー種を示すトナー種情報と、記録媒体に対するトナー種情報によって示されるトナー種のトナーの付与順と、を含む。
【００５９】
トナー種情報は、画像形成に用いるトナーの種類を示す情報である。トナー種情報は、例えば、有色トナーと、クリアトナー（特色トナー）および白色トナーの少なくとも一方と、を示す。
【００６０】
付与順は、トナー種情報によって示される種類のトナーの、記録媒体への付与の順序を示す情報である。例えば、付与順には、第１付与順、第２付与順、第３付与順、第４付与順、第５付与順、第６付与順、第７付与順などがある。第１付与順は、記録媒体上に、有色トナーを付与することを示す。第２付与順は、記録媒体上に、有色トナーと、クリアトナーと、をこの順に付与することを示す。第３付与順は、記録媒体の一方の面に有色トナーを付与し他方の面に白色トナーを付与することを示す。第４付与順は、記録媒体の一方の面に有色トナーとクリアトナーとをこの順に付与し、他方の面に白色トナーを付与することを示す。第５付与順は、記録媒体上に、有色トナーと、白色トナーと、をこの順に付与することを示す。第６付与順は、記録媒体上に、白色トナーと、有色トナーと、をこの順に付与することを示す。第７付与順は、記録媒体上に、白色トナーと、有色トナーと、クリアトナーと、をこの順に付与することを示す。
【００６１】
なお、これらの付与順は一例であり、更に異なる付与順を含む形態であってもよい。
【００６２】
また、印刷条件は、更に、画像形成対象の記録媒体の種類を示す媒体種情報を含むことが好ましい。また、印刷条件は、更に、濃度および光沢度の測定対象面を示す測定対象面情報を含むことが好ましい。
【００６３】
媒体種情報は、画像形成対象の記録媒体の種類を示す。本実施の形態では、媒体種情報は、透明な透明記録媒体、または不透明な不透明記録媒体である。なお、媒体種情報は、更に他の種類を示す情報を含んだ構成であってもよい。例えば、不透明記録媒体の色を示す色情報（例えば、白色の記録媒体、閾値以上の色濃度の記録媒体、閾値未満の色濃度の記録媒体など）を更に含む形態であってもよい。
【００６４】
測定対象面は、記録媒体に形成された画像のユーザによる読取面と同じである。測定対象面は、例えば、記録媒体における有色トナーの形成側、記録媒体における有色トナーとは反対側、などである。
【００６５】
図１０および図１１は、印刷条件の説明図である。
【００６６】
図１０（Ａ）に示す印刷条件は、画像形成対象の記録媒体Ｐの種類を示す媒体種情報が透明記録媒体ＰＡを示し、付与順が記録媒体Ｐ上に有色トナー７４を形成する第１付与順である。また、図１０（Ａ）に示す印刷条件は、測定対象面が透明記録媒体ＰＡ側（測定方向Ｍ参照）であり、画像形成に用いるトナー種情報が、有色トナー（ＣＭＹＫ）である。
【００６７】
図１０（Ｂ）に示す印刷条件は、媒体種情報が透明記録媒体ＰＡを示し、付与順が記録媒体Ｐ上に有色トナー７４とクリアトナー７６とをこの順に形成する第２付与順である。また、図１０（Ｂ）に示す印刷条件は、測定対象面が透明記録媒体ＰＡ側（測定方向Ｍ２参照）またはクリアトナー７６側（測定方向Ｍ１参照）であり、画像形成に用いるトナー種情報が、有色トナーおよびクリアトナーである。
【００６８】
図１０（Ｃ）に示す印刷条件は、画像形成対象の記録媒体Ｐの種類を示す媒体種情報が不透明記録媒体ＰＢを示し、付与順が記録媒体Ｐ上に有色トナー７４を形成する第１付与順である。また、図１０（Ｃ）に示す印刷条件は、測定対象面が有色トナー７４側（測定方向Ｍ参照）であり、画像形成に用いるトナー種情報が、有色トナーである。
【００６９】
図１０（Ｄ）に示す印刷条件は、媒体種情報が不透明記録媒体ＰＢを示し、付与順が記録媒体Ｐ上に有色トナー７４とクリアトナー７６とをこの順に形成する第２付与順である。また、図１０（Ｄ）に示す印刷条件は、測定対象面がクリアトナー７６側（測定方向Ｍ参照）であり、画像形成に用いるトナー種情報が、有色トナーおよびクリアトナーである。
【００７０】
図１１（Ａ）に示す印刷条件は、画像形成対象の記録媒体Ｐの種類を示す媒体種情報が透明記録媒体ＰＡを示し、付与順が記録媒体Ｐの一方の面に有色トナー７４を付与し他方の面に白色トナー７８を付与することを示す第３付与順である。また、図１１（Ａ）に示す印刷条件は、測定対象面が有色トナー７４側（測定方向Ｍ参照）であり、画像形成に用いるトナー種情報が、有色トナーおよび白色トナーである。
【００７１】
図１１（Ｂ）に示す印刷条件は、媒体種情報が透明記録媒体ＰＡを示し、付与順が、記録媒体Ｐ上に有色トナー７４と白色トナー７８とをこの順に付与することを示す第５付与順である。また、図１１（Ｂ）に示す印刷条件は、測定対象面が透明記録媒体ＰＡ側（測定方向Ｍ参照）であり、画像形成に用いるトナー種情報が、白色トナーおよび有色トナーである。
【００７２】
図１１（Ｃ）に示す印刷条件は、媒体種情報が透明記録媒体ＰＡを示し、付与順が記録媒体Ｐの一方の面に有色トナー７４とクリアトナー７６とをこの順に付与し、他方の面に白色トナー７８を付与することを示す、第４付与順である。また、図１１（Ｃ）に示す印刷条件は、測定対象面がクリアトナー７６側（測定方向Ｍ参照）であり、画像形成に用いるトナー種情報が、白色トナー、有色トナー、およびクリアトナーである。
【００７３】
図１１（Ｄ）に示す印刷条件は、画像形成対象の記録媒体Ｐの種類を示す媒体種情報が不透明記録媒体ＰＢを示し、付与順が、記録媒体Ｐ上に、白色トナー７８と、有色トナー７４と、をこの順に付与することを示す第６付与順である。また、図１１（Ｄ）に示す印刷条件は、測定対象面が有色トナー７４側（測定方向Ｍ参照）であり、画像形成に用いるトナー種情報が、白色トナーおよび有色トナーである。
【００７４】
図１１（Ｅ）に示す印刷条件は、媒体種情報が不透明記録媒体ＰＢを示し、付与順が、記録媒体Ｐ上に、白色トナー７８と、有色トナー７４と、クリアトナー７６と、をこの順に付与することを示す第７付与順である。また、図１１（Ｅ）に示す印刷条件は、測定対象面がクリアトナー７６側（測定方向Ｍ参照）であり、画像形成に用いるトナー種情報が、白色トナー、有色トナー、およびクリアトナーである。
【００７５】
なお、図１０〜図１１に示す印刷条件は一例であり、記録媒体Ｐの媒体種情報、付与順、トナー種情報、および測定対象面情報、の組合せにより、様々な印刷条件を設定可能である。
【００７６】
なお、本実施の形態では、一例として、印刷条件は、記録媒体Ｐの媒体種情報、付与順、トナー種情報、付与順、および測定対象面情報を含む場合を説明する。また、本実施の形態では、印刷条件に含まれるトナー種情報は、少なくとも、有色トナーを含むものとして説明する。
【００７７】
上述したように、記憶部５９は、印刷条件と、目標濃度情報と、を予め対応づけて記憶する。また、記憶部５９は、印刷条件と、目標光沢度情報と、を予め対応づけて記憶する。
【００７８】
目標濃度情報は、基準階調値と目標濃度との関係を定めた情報である。目標濃度は、対応する基準階調値の定められた有色版データに応じた画像を、対応する印刷条件で記録媒体に形成したときに、印刷結果として得られるべき濃度を示す。
【００７９】
図１２は、目標濃度情報８０の一例を示す図である。図１２には、一例として、図１０（Ａ）に示す印刷条件に対応する、シアン（Ｃ）の有色版データ用の目標濃度情報８０Ａの一例を示した。図１２に示すように、目標濃度情報８０Ａは、図１０（Ａ）に示す印刷条件で画像形成するときの、シアン（Ｃ）の有色版データの階調値（基準階調値）の各々に対する、得られるべき濃度（目標濃度）を定めたものである。記憶部５９には、印刷条件に対応づけて、ＣＭＹＫの各有色版データ用の目標濃度情報が予め記憶される。
【００８０】
なお、図１２に示す例では、目標濃度情報８０が正比例の関係を示す場合を示したが、このような正比例の関係に限定されず、ユーザの趣向や各色、機器の環境に合わせて任意で設定してもよい。
【００８１】
目標光沢度情報は、目標濃度と目標光沢度との関係を定めた情報である。目標光沢度は、印刷結果として、対応する目標濃度が得られるときに、得られるべき光沢度を示す。
【００８２】
図１３は、目標光沢度情報８２の一例を示す図である。図１３には、一例として、図１０（Ａ）に示す印刷条件で画像形成するときの、シアン（Ｃ）の濃度（目標濃度）の各々に対応する、得られるべき光沢度（目標光沢度）を定めたものである。なお、記憶部５９には、印刷条件に対応づけて、ＣＭＹＫの各有色版データ用の目標光沢度情報が予め記憶される。
【００８３】
なお、印刷条件が異なると、目標濃度情報８０および目標光沢度情報８２は、図１２および図１３とは異なる関係を示すものとなる。
【００８４】
図１４および図１５は、目標濃度情報８０および目標光沢度情報８２の他の例を示す図である。図１４および図１５は、印刷条件が図１０（Ｂ）に示す印刷条件であるときの、目標濃度情報８０Ｂおよび目標光沢度情報８２Ｂの各々の説明図である。
【００８５】
図１４に示すように、印刷条件が、図１０（Ｂ）に示す印刷条件である場合、目標濃度情報８０Ｂは、目標濃度情報８０Ａに比べて傾きの大きい線図で示されるものとなる。また、図１５に示すように、印刷条件が、図１０（Ｂ）に示す印刷条件である場合、目標光沢度情報８２Ｂは、目標光沢度情報８２Ａに比べて傾きの小さい線図で示されるものとなる。
【００８６】
図９に戻り、また、記憶部５９は、印刷条件と、パッチ画像データと、を対応づけて予め記憶する。なお、パッチ画像処理部５１Ｆが、パッチ画像データを生成してもよい。
【００８７】
パッチ画像データは、有色パッチ画像データを少なくとも含む。本実施の形態では、印刷条件に対応するパッチ画像データは、対応する印刷条件に含まれるトナー種情報によって示されるトナーの種類に応じた数の、画像データを含む。
【００８８】
具体的には、パッチ画像データは、対応する印刷条件に含まれるトナー種情報に、有色トナーが含まれる場合、有色パッチ画像データを含む。また、パッチ画像データは、対応する印刷条件に含まれるトナー種情報に、クリアトナーが含まれる場合、クリアパッチ画像データを含む。また、パッチ画像データは、対応する印刷条件に含まれるトナー種情報に、白色トナーが含まれる場合、白色パッチ画像データを含む。
【００８９】
このため、例えば、対応する印刷条件に含まれるトナー種情報に、有色トナー、クリアトナー、白色トナーが含まれる場合、該印刷条件に対応するパッチ画像データには、有色パッチ画像データ、クリアパッチ画像データ、白色パッチ画像データが含まれる。
【００９０】
有色パッチ画像データは、目標濃度および目標光沢度に対応する基準階調値の設定されたパッチ画像領域を規定した画像データである。目標濃度および目標光沢度に対応する基準階調値は、該有色パッチ画像データに対応する印刷条件に対応する、目標濃度情報（例えば、図１２参照）、および目標光沢度情報（例えば、図１３参照）によって定められる。
【００９１】
具体的には、有色パッチ画像データは、複数の有色パッチ画像領域の各々に、異なる基準階調値を規定した画像データである。有色パッチ画像データは、有色トナーによって形成するパッチ画像データである。本実施の形態では、有色パッチ画像データは、ＣＭＹＫの各々の色ごとに、異なる基準階調値を規定した有色パッチ画像領域を含む。
【００９２】
図１６は、有色パッチ画像データ７１の一例を示す図である。なお、図１６に示すパッチ画像データ７１は、第１付与順（記録媒体上に有色トナーを付与）を含む印刷条件に対応する、有色トナーによって形成する有色パッチ画像データ７１の一例である。
【００９３】
図１６に示すように、有色パッチ画像データ７１は、シアン（Ｃ）の複数の有色パッチ画像領域７０Ｃ（７０１Ｃ〜７０ｎＣ（ｎは整数））と、マゼンタ（Ｍ）の複数の有色パッチ画像領域７０Ｍ（７０１Ｍ〜７０ｎＭ（ｎは整数））と、イエロー（Ｙ）の複数の有色パッチ画像領域７０Ｙ（７０１Ｙ〜７０ｎＹ（ｎは整数））と、ブラック（Ｋ）の複数の有色パッチ画像領域７０Ｋ（７０１Ｋ〜７０ｎＫ（ｎは整数））と、を含む。
【００９４】
各有色パッチ画像領域の各々には、異なる基準階調値が規定されている。図１６に示す例では、有色パッチ画像領域７０１Ｃ、有色パッチ画像領域７０１Ｍ、有色パッチ画像領域７０１Ｙ、有色パッチ画像領域７０１Ｋ、の各々には、最も高い階調値（例えば、階調値「２５５」）が設定されている。また、図１６中の最も右側の有色パッチ画像領域７０ｎＣ、有色パッチ画像領域７０ｎＭ、有色パッチ画像領域７０ｎＹ、有色パッチ画像領域７０ｎＫ、の各々には、最も低い階調値（例えば、階調値「０」）が設定されている。そして、図１６中、最も左側から最も右側の有色パッチ画像領域７０に向かって、階調値が低くなるように、基準階調値が予め設定されている。
【００９５】
図１７は、クリアパッチ画像データ７３の一例を示す図である。なお、図１７に示すクリアパッチ画像データ７３は、第２付与順（図１０（Ｂ）、図１０（Ｄ）参照）、第４付与順（図１１（Ｃ）参照）、第７付与順（図１１（Ｅ）参照）を含む印刷条件に対応する、クリアパッチ画像データ７３の一例である。
【００９６】
クリアパッチ画像データ７３は、複数のクリアパッチ領域７２を含む。クリアパッチ領域７２は、有色パッチ画像データ７１における有色パッチ画像領域７０Ｃ、７０Ｍ、７０Ｙ、７０Ｋ（図１６参照）と重なる領域に規定され、予め定められた階調値が規定されている。クリアパッチ領域７２には、例えば、階調値「２５５」が規定されている。なお、クリアパッチ領域７２の階調値は、ユーザによる入力部２８の操作指示などにより、適宜変更可能である。
【００９７】
図１８は、パッチ画像データ７７の一例を示す模式図である。なお、図１８に示す例は、対応する印刷条件に含まれるトナー種情報に、有色トナー、クリアトナー、白色トナーが含まれる場合の、パッチ画像データ７７の一例である。
【００９８】
図１８に示す例では、パッチ画像データ７７は、例えば、有色パッチ画像データ７１と、クリアパッチ画像データ７３と、白色パッチ画像データ７５と、を含む。白色パッチ画像データ７５は、形成対象の記録媒体Ｐに相当する全領域を白色パッチ領域とし、該白色パッチ領域に、階調値「２５５」を規定したデータである。
【００９９】
なお、上述したように、パッチ画像データ７７は、対応する印刷条件に応じて、有色パッチ画像データ７１のみを含む場合、有色パッチ画像データ７１とクリアパッチ画像データ７３を含む場合、有色パッチ画像データ７１と白色パッチ画像データ７５とを含む場合、または、有色パッチ画像データ７１とクリアパッチ画像データ７３と白色パッチ画像データ７５とを含む場合がある。
【０１００】
図９に戻り、上述したように、第２出力部５１Ｇは、受け付けたパッチ印刷データに含まれる、印刷条件に対応するパッチ画像データを記憶部５９から読取る。そして、第２出力部５１Ｇは、該印刷条件と、パッチ画像データと、を含むパッチ出力データを、ＭＩＣ６０を介して画像形成部１８へ出力する。
【０１０１】
なお、第２出力部５１Ｇは、受け付けたパッチ印刷データに含まれる印刷条件に応じて、パッチ画像データを生成し、画像形成部１８へ出力してもよい。
【０１０２】
画像形成部１８のプリンタ機１２は、パッチ出力データを受け付けると、パッチ印刷データに応じた画像（有色パッチ画像、または、有色パッチ画像と、クリアパッチ画像および白色パッチ画像の少なくとも一方）を、印刷条件に応じて記録媒体Ｐに形成する。
【０１０３】
このため、記録媒体Ｐには、有色パッチ画像領域に応じた有色パッチ画像、または、有色パッチ画像とクリアパッチ領域に応じたクリアパッチ画像および白色パッチ画像の少なくとも一方が、パッチ出力データに含まれる印刷条件に応じて形成される。
【０１０４】
具体的には、例えば、図１６に示すように、記録媒体Ｐには、印刷条件に応じて、有色パッチ画像領域７０Ｃ、７０Ｍ、７０Ｙ、７０Ｋの各々に対応する有色パッチ画像６２Ｃ、６２Ｍ、６０Ｙ、６０Ｋが形成される。また、例えば、図１８に示すように、記録媒体Ｐには、印刷条件に応じて、有色パッチ画像領域７０Ｃ、７０Ｍ、７０Ｙ、７０Ｋの各々に対応する有色パッチ画像６２Ｃ、６２Ｍ、６０Ｙ、６０Ｋと、白色パッチ領域に対応する白色パッチ画像６６と、クリアパッチ領域７２に対応するクリアパッチ画像６４と、が重ねて形成される。
【０１０５】
取得部５１Ｈは、濃度測定部２０および光沢度測定部２２から、記録媒体Ｐに形成された有色パッチ画像の、濃度測定値および光沢度測定値を取得する。
【０１０６】
具体的には、上記印刷条件に応じて、記録媒体Ｐに有色パッチ画像、または、有色パッチ画像とクリアパッチ画像および白色パッチ画像の少なくとも一方とが形成されると、濃度測定部２０および光沢度測定部２２は、印刷条件に含まれる測定対象面情報によって示される測定対象面側から有色パッチ画像の濃度および光沢度の各々を測定する。
【０１０７】
例えば、印刷条件が図１０（Ｂ）に示す印刷条件である場合、濃度測定部２０および光沢度測定部２２は、クリアトナー７６側または透明記録媒体ＰＡ側から、有色パッチ画像の濃度および光沢度の各々を測定する。
【０１０８】
なお、濃度測定部２０および光沢度測定部２２は、基準階調値の異なる複数の有色パッチ画像領域の各々に対応する、複数の有色パッチ画像の各々の濃度および光沢度を測定する。そして、測定した、複数の有色パッチ画像の各々の濃度測定値および光沢度測定値を、ＤＦＥ５０のレンダリング処理部５１へ送信する。レンダリング処理部５１の取得部５１Ｈは、この濃度測定値および光沢度測定値を受信することで、濃度測定値および光沢度測定値を取得する。
【０１０９】
生成部５１Ｉは、取得部５１Ｈで取得した濃度測定値および光沢度測定値が、目標濃度および目標光沢度に一致するように、有色トナーを付与する有色領域を規定した有色版データの階調値を補正するための階調補正情報を生成する。
【０１１０】
階調補正情報は、画像の階調再現性を高めるための補正処理に用いる情報である。この補正処理は、ガンマ補正と称される場合もある。すなわち、階調補正情報は、後述する補正部５３において、有色版データの階調値を、階調再現性を高めるべく補正するときに用いる情報である。
【０１１１】
詳細には、生成部５１Ｉは、まず、濃度測定値および光沢度測定値を測定した記録媒体Ｐに形成された有色パッチ画像の形成に用いた有色パッチ画像データに対応する印刷条件を読取る。例えば、生成部５１Ｉは、取得部５１Ｈから濃度測定値および光沢度測定値を取得する直前に、第２出力部５１Ｇが出力したパッチ出力データに含まれる印刷条件を読取ることで、印刷条件を読取る。
【０１１２】
次に、生成部５１Ｉは、読取った印刷条件に対応する、目標濃度情報と、目標光沢度情報と、を記憶部５９から読取る。例えば、生成部５１Ｉは、図１２に示す目標濃度情報８０Ａと、図１３に示す目標光沢度情報８２Ａと、を読取ったとする。
【０１１３】
そして、生成部５１Ｉは、取得部５１Ｈで取得した濃度測定値と基準階調値との関係が印刷条件に対応する目標濃度情報８０Ａに定めた関係と一致し、且つ、目標濃度と光沢度測定値との関係が、印刷条件に対応する目標光沢度情報８２Ａに定めた関係と一致するように、有色版データの階調値を補正するための階調補正情報を生成する。そして、生成部５１Ｉは、生成した階調補正情報を、該印刷条件に対応づけて記憶部５９に記憶する。
【０１１４】
階調補正情報は、有色版データの階調値としての入力階調値と、補正後の出力階調値と、の関係を定めた情報である。階調補正情報は、これらの関係を定めた情報であればよく、テーブルであってもよいし、数式であってもよいし、直線や曲線で表してもよい。
【０１１５】
図１９〜図２２は、階調補正情報生成の説明図である。
【０１１６】
図１９に示すように、取得部５１Ｈで取得した、シアン（Ｃ）の各有色パッチ画像の濃度測定値と、シアン（Ｃ）の各有色パッチ画像に対応する有色パッチ画像領域の基準階調値と、の関係が、線図８４で表されたとする。なお、図１９中、目標濃度情報８０Ａは、図１２中の目標濃度情報８０Ａと同じである。
【０１１７】
この場合、生成部５１Ｉは、濃度測定値と基準階調値との関係（線図８４）が目標濃度情報８０Ａを示すように、シアン（Ｃ）の有色版データの階調値を補正するための、第１補正情報８５を算出する。
【０１１８】
一方、図２０に示すように、取得部５１Ｈで取得した、シアン（Ｃ）の各有色パッチ画像の光沢度と、シアン（Ｃ）の各有色パッチ画像に対応する有色パッチ画像領域の基準階調値と、の関係が、線図８６で表されたとする。ここで、図２１（Ａ）に示すように、生成部５１Ｉが、該印刷条件に対応するシアン（Ｃ）の目標光沢度情報８２Ａ（図１３と同様）を読取ったとする。
【０１１９】
この場合、生成部５１Ｉは、目標光沢度情報８２Ａによって示される関係（図２１（Ａ）参照）を、光沢度測定値と基準階調値との関係（線図８６）（図２１（Ｂ）参照）に反映させることで、光沢度測定値を加味した基準階調値と目標濃度との関係を示す第２補正情報８７を算出する。
【０１２０】
そして、図２２に示すように、生成部５１Ｉは、目標濃度情報８０Ａと、第１補正情報８５と、第２補正情報８７と、を用いて、第３補正情報８８を算出する。
【０１２１】
詳細には、生成部５１Ｉは、光沢度を加味していない補正情報である第１補正情報８５によって示される関係が、第２補正情報８７によって示される関係を示すように、階調値を補正するための第３補正情報８８を算出する。
【０１２２】
図２２に示す例では、第１補正情報８５によって示される関係をもとに、第２補正情報８７によって示される関係との中間の関係を示すように、第３補正情報８８を算出する例を示した。しかし、ユーザによる入力部２８の操作指示などにより、第１補正情報８５と第２補正情報８７との採用比率を調整したり、任意の調整を加えてもよい。また、複数の第３補正情報８８を保持した上で、画像上に任意の領域などに応じて、最終的に用いる第３補正情報８８を変更してもよい。
【０１２３】
そして、生成部５１Ｉは、目標濃度情報８０Ａによって示される基準階調値と濃度との関係と、算出した第３補正情報８８と、を用いて、各濃度に対応する目標濃度情報８０Ａによって示される基準階調値を有色版データの階調値（すなわち、入力階調値）とし、各濃度に対応する第３補正情報８８によって示される基準階調値を補正後の階調値（すなわち、出力階調値）とした、階調補正情報Ｌを生成する。
【０１２４】
詳細には、図２２に示す例では、階調補正情報Ｌは、目標濃度情報８０Ａにおける濃度Ａ１に対応する階調値Ｂ１を、第３補正情報８８における濃度Ａ１に対応する階調値Ｂ２に補正するための情報である。また、図２２に示す例では、階調補正情報Ｌは、目標濃度情報８０Ａにおける濃度Ａ’１に対応する階調値Ｂ’１を、第３補正情報８８における濃度Ａ’１に対応する階調値Ｂ’２に補正するための情報である。すなわち、階調補正情報Ｌは、目標濃度情報８０Ａにおける各濃度に対応する階調値を、第３補正情報８８における該各濃度に対応する階調値に補正するための情報である。
【０１２５】
言い換えると、階調補正情報Ｌは、目標光沢度と目標濃度を実現するために、有色版データの階調値を補正するための階調補正情報であるといえる。
【０１２６】
そして、生成部５１Ｉは、マゼンタ（Ｍ）、イエロー（Ｙ）、ブラック（Ｋ）の各々についても同様にして、階調補正情報Ｌを生成する。そして、生成部５１Ｉは、これらのＣＭＹＫの各々の階調補正情報Ｌを、該印刷条件に対応づけて記憶部５９に記憶する。
【０１２７】
なお、階調補正情報Ｌは、ガンマ補正曲線や、ガンマ補正テーブルと称される場合がある。また、図１９〜図２２では、各関係（目標濃度情報８０Ａ、第１補正情報８５、第３補正情報８８、第２補正情報８７など）を概念的に説明するために、グラフを用いて説明したが、これらの関係は、離散的な値を有するテーブルとして実現してもよく、そのデータ形式は限定されない。
【０１２８】
上述のようにして階調補正情報を生成するため、生成部５１Ｉで生成した階調補正情報は、濃度と光沢度の双方を考慮した階調補正情報であるといえる。
【０１２９】
図８に戻り、レンダリング処理部５１によって、生成された８ビットのＣＭＹＫの有色版データ、および８ビットの光沢制御版データは、ｓｉ１部５２へ出力される。
【０１３０】
ｓｉ１部５２は、ＣＭＹＫの各８ビットの有色版データを補正部５３に出力し、８ビットの光沢制御版データをクリアプロセッシング５６に出力する。ここで、ＤＦＥ５０は、ホスト装置１０から出力されたベクタ形式の光沢制御版データをラスタ形式の光沢制御版データに変換する。この結果、ＤＦＥ５０は、ユーザが画像処理アプリケーションにより指定した描画オブジェクトに対する表面効果の種類を、画素単位で階調値として設定した光沢制御版データを、クリアプロセッシング５６へ出力することとなる。
【０１３１】
補正部５３には、ｓｉ１部５２を介してＣＭＹＫの各８ビットの有色版データが入力される。また、補正部５３は、レンダリング処理部５１で受け付けた印刷データに含まれる印刷条件を取得する。そして、補正部５３は、印刷条件に対応する階調補正情報を、記憶部５９から読取る。この階調補正情報は、上述したように、印刷条件に対応する階調補正情報であり、目標光沢度と目標濃度を実現するために、有色版データの階調値を補正するための情報である。
【０１３２】
そして、補正部５３は、読取った階調補正情報を用いて、ＣＭＹＫの各８ビットの有色版データの階調値を補正（すなわち、ガンマ補正）する。
【０１３３】
なお、補正部５３では、階調補正の他に、トナーの総量規制処理を更に行ってもよい。総量規制とは記録媒体Ｐ上の１画素において、プリンタ機１２でのせることが可能なトナー量に限界があるため、階調補正後のＣＭＹＫ各８ビットの有色版データを制限する処理である。ちなみに、総量規制を越えて印刷した場合、転写不良や定着不良により画質が劣化してしまう。本実施の形態では関連するガンマ補正のみを取り上げて説明している。
【０１３４】
ｓｉ２部５４は、補正部５３で階調補正されたＣＭＹＫの各８ビットの有色版データを、インバースマスク（後述する）を生成するためのデータとしてクリアプロセッシング５６へ出力する。ハーフトーンエンジン５５には、ｓｉ２部５４を介して階調補正後のＣＭＹＫの各８ビットの有色版データが入力される。ハーフトーンエンジン５５は、入力された有色版データを、プリンタ機１２に出力するための、例えばＣＭＹＫの各２ビット等の有色版データのデータ形式に変換するハーフトーン処理を行い、ハーフトーン処理後のＣＭＹＫ各２ビット等の有色版データを出力する。なお、２ビットは一例であり、これに限定されない。
【０１３５】
クリアプロセッシング５６には、レンダリング処理部５１が変換した８ビットの光沢制御版データがｓｉ１部５２を介して入力されると共に、補正部５３が階調補正を行ったＣＭＹＫの各８ビットの有色版データがｓｉ２部５４を介して入力される。
【０１３６】
クリアプロセッシング５６は、表面効果選択テーブルを予め記憶する。
【０１３７】
表面効果選択テーブルは、表面効果を示す光沢制御値である階調値と当該表面効果の種類の対応関係を示すと共に、これらと、画像処理システムの構成に応じた後処理機に関する制御情報と、プリンタ機１２で用いるクリアトナー版データおよび後処理機で用いるクリアトナー版データとの対応関係を示すテーブルである。
【０１３８】
画像処理システムの構成は、様々に異なり得るが、本実施の形態においては、プリンタ機１２に後処理機としてグロッサ１４および低温定着機１６が接続される構成である（図１参照）。このため、画像処理システムの構成に応じた後処理機に関する制御情報とは、グロッサ１４のオンまたはオフを示すオンオフ情報となる。また、後処理機で用いるクリアトナー版データとしては、低温定着機１６で用いるクリアトナー版データがある。
【０１３９】
図２３は、表面効果選択テーブルのデータ構成を例示する図である。なお、表面効果選択テーブルは、異なる画像処理システムの構成毎に、後処理機に関する制御情報と、プリンタ機１２で用いるクリアトナー版データ１および後処理機で用いるクリアトナー版データ２と、階調値および表面効果の種類との対応関係を示すように構成され得る。図２３では、本実施の形態に係る画像処理システムの構成に応じたデータ構成を例示している。同図に示される表面効果の種類および階調値の対応関係においては、階調値の範囲毎に表面効果の各種類が対応付けられている。また、その階調値の範囲の代表となる値（代表値）から換算される濃度の割合（濃度率）に対して２％単位で表面効果の各種類が対応付けられている。具体的には、濃度率が８４％以上となる階調値の範囲（「２１２」〜「２５５」）に対して光沢を与える表面効果（鏡面光沢およびベタ光沢）が対応付けられており、濃度率が１６％以下となる階調値の範囲（「１」〜「４３」）に対して光沢を抑える表面効果（網点マットおよびつや消し）が対応付けられている。また、濃度率が２０％〜８０％となる階調値の範囲には、テクスチャや地紋透かしなどの表面効果が対応付けられている。
【０１４０】
図２３の表面効果選択テーブルを例にあげてより具体的に説明すると、例えば、「２３８」〜「２５５」の階調値に対しては表面効果として鏡面光沢（ＰＧ：Ｐｒｅｍｉｕｍ  Ｇｌｏｓｓ）が対応付けられており、このうち、「２３８」〜「２４２」の階調値、「２４３」〜「２４７」の階調値および「２４８」〜「２５５」の階調値の３つの範囲に対して各々異なるタイプの鏡面光沢が対応付けられている。
【０１４１】
また、「２１２」〜「２３２」の階調値に対しては、ベタ光沢（Ｇ：Ｇｌｏｓｓ）が対応付けられており、このうち、「２１２」〜「２１６」の階調値、「２１７」〜「２２１」の階調値、「２２２」〜「２２７」の階調値および「２２８」〜「２３２」の階調値の４つの範囲に対して各々異なるタイプのベタ光沢が対応付けられている。
【０１４２】
また、「２３」〜「４３」の階調値に対しては、網点マット（Ｍ：Ｍａｔｔ）が対応付けられており、このうち、「２３」〜「２８」の階調値、「２９」〜「３３」の階調値、「３４」〜「３８」の階調値および「３９」〜「４３」の階調値の４つの範囲に対して各々異なるタイプの網点マットが対応付けられている。また、「１」〜「１７」の階調値に対しては、つや消し（ＰＭ：Ｐｒｅｍｉｕｍ  Ｍａｔｔ）が対応付けられており、このうち、「１」〜「７」の階調値、「８」〜「１２」の階調値および「１３」〜「１７」の階調値の３つの範囲に対して各々異なるタイプのつや消しが対応付けられている。これらの同一の表面効果の異なるタイプはプリンタ機１２や低温定着機１６で使用するクリアトナー版データを求める式に違いがあり、プリンタ本体や後処理機の動作は同じである。なお、「０」の階調値には、表面効果を与えないことが対応付けられている。
【０１４３】
また、図２３には、階調値および表面効果に対応して、グロッサ１４のオンまたはオフを示すオンオフ情報と、プリンタ機１２で用いるクリアトナー版データ１、および低温定着機１６で用いるクリアトナー版データ２の内容とが各々示されている。例えば、表面効果が鏡面光沢である場合、グロッサ１４をオンにすることが示されると共に、プリンタ機１２で用いるクリアトナー版データ１は、インバースマスク（詳細後述）を表すものであり、低温定着機１６で用いるクリアトナー版データ２は、ないことが示されている。
【０１４４】
なお、図２３に示される例は、表面効果として鏡面効果が指定された領域が、画像データによって規定される領域全体に相当する場合の例である。
【０１４５】
また、階調値が「２２８」〜「２３２」であり表面効果がベタ光沢である場合、グロッサ１４をオフにすることが示されていると共に、プリンタ機１２で用いるクリアトナー版データ１の画像データは、インバースマスク１であり、低温定着機１６で用いるクリアトナー版データ２の画像データは、ないことが示されている。
【０１４６】
なお、インバースマスク１は、後述する式（１）〜式（４）の何れかの式により表されるものであればよい。これはグロッサ１４がオフなので平滑化されるトナーの総付着量が異なるため、鏡面光沢により表面の凹凸が増え、その結果、鏡面光沢により光沢度が低いベタ光沢が得られる。また、表面効果が網点マットである場合、グロッサ１４をオフにすることが示されていると共に、プリンタ機１２で用いるクリアトナー版データ１は、ハーフトーン（網点）を表すものであり、低温定着機１６で用いるクリアトナー版データ２は、ないことが示されている。また、表面効果がつや消しである場合、グロッサ１４をオンまたはオフのいずれにしてもよいことが示されていると共に、プリンタ機１２で用いるクリアトナー版データ１は、なく、低温定着機１６で用いるクリアトナー版データ２は、ベタマスクを表すものであることが示されている。当該ベタマスクは、例えば、下記式（２）により求められるものである。
【０１４７】
ここで、インバースマスクとは、表面効果を与える対象の領域を構成する各画素上のＣＭＹＫのトナーおよびクリアトナーを合わせた総付着量が均一になるようにするためのものである。具体的には、ＣＭＹＫの有色版データにおいて当該対象の領域を構成する画素の表す濃度値を全て加算し、その加算値を所定値から差し引いた画像データがインバースマスクとなる。例えば、上述のインバースマスクは以下の式（１）で表される。
【０１４８】
Ｃｌｒ＝１００−（Ｃ＋Ｍ＋Ｙ＋Ｋ）  但し、Ｃｌｒ＜０となる場合、Ｃｌｒ＝０
・・・式（１）
【０１４９】
式（１）において、Ｃｌｒ，Ｃ，Ｍ，Ｙ，Ｋは、クリアトナーおよびＣ，Ｍ，Ｙ，Ｋの各トナーのそれぞれについて、各画素における階調値から換算される濃度率を表すものである。即ち、式（１）によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式（１）以外により求められるものがあり、インバースマスクの種類は複数有り得る。
【０１５０】
例えば、インバースマスクは、各画素にクリアトナーを均一に付着させるものであってもよい。この場合のインバースマスクは、ベタマスクともいい、以下の式（２）で表される。
Ｃｌｒ＝１００    ・・・式（２)
【０１５１】
なお、表面効果を与える対象の画素の中でも、１００％以外の濃度率が対応付けられるものがあるようにしてもよく、ベタマスクのパターンは複数有り得る。
【０１５２】
また、例えばインバースマスクは、各色の地肌露出率の乗算により求められるものであってもよい。この場合のインバースマスクは、例えば以下の式（３）で表される。
【０１５３】
Ｃｌｒ＝１００×｛（１００−Ｃ）／１００｝×｛（１００−Ｍ）／１００｝×｛（１００−Ｙ）／１００｝×｛（１００−Ｋ）／１００｝    ・・・式（３)
【０１５４】
上記式（３）において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【０１５５】
また、例えばインバースマスクは、最大面積率の網点が平滑性を律すると仮定した方法により求められるものであってもよい。この場合のインバースマスクは、例えば以下の式（４）で表される。
【０１５６】
Ｃｌｒ＝１００−ｍａｘ（Ｃ，Ｍ，Ｙ，Ｋ）    ・・・式（４）
【０１５７】
上記式（４）において、ｍａｘ（Ｃ，Ｍ，Ｙ，Ｋ）は、ＣＭＹＫのうち最大の濃度値を示す色の濃度値が代表値となることを示す。
【０１５８】
要するに、インバースマスクは、上記式（１）〜式（４）の何れかの式により表されるものであればよい。
【０１５９】
図８に戻り、クリアプロセッシング５６では、ｓｉ１部５２から受け付けた光沢制御版データを用いて、表面効果選択テーブルを参照して、クリアトナー版データを生成する。
【０１６０】
具体的には、クリアプロセッシング５６は、光沢制御版データを構成する各画素の表す階調値に対する表面効果を判断する。そして、クリアプロセッシング５６は、当該判断に応じて、グロッサ１４のオンまたはオフを決定すると共に、受け付けたＣＭＹＫの各８ビットの有色版データを用いてインバースマスクやベタマスクを適宜生成することにより、クリアトナーを付着させるための２ビットのクリアトナー版データを適宜生成する。そして、クリアプロセッシング５６は、表面効果の判断の結果に応じて、プリンタ機１２で用いるクリアトナー版データ１と、低温定着機１６で用いるクリアトナー版データ２とを適宜生成してこれらを出力すると共に、グロッサ１４のオンまたはオフを示すオンオフ情報を出力する。これにより、ユーザが意図した効果の光沢効果を有するクリアトナー版データが生成される。
【０１６１】
ｓｉ３部５７は、ハーフトーン処理後のＣＭＹＫの各２ビットの有色版データと、クリアプロセッシング５６が生成した２ビットのクリアトナー版データと、該有色版データと共に受け付けた印刷条件と、を含む出力データを、第１出力部５８に出力する。第１出力部５８は、受け付けた出力データを、ＭＩＣ６０を介して画像形成部１８へ出力する。
【０１６２】
なお、クリアプロセッシング５６は、プリンタ機１２で用いるクリアトナー版データおよび低温定着機１６で用いるクリアトナー版データのうち少なくとも一方を生成しない場合がある。このため、クリアプロセッシング５６が生成したクリアトナー版データがｓｉ３部５７で統合され、両方のクリアトナー版データをクリアプロセッシング５６が生成していない場合には、ｓｉ３部５７からはＣＭＹＫの各２ビットの有色版データと印刷条件とを含む出力データを、第１出力部５８に出力する。第１出力部５８は、受け付けた出力データを、ＭＩＣ６０を介して画像形成部１８へ出力する。
【０１６３】
すなわち、第１出力部５８は、補正部５３で補正され、２ビットに変換されたＣＭＹＫの各２ビットの有色版データと、印刷条件と、適宜クリアトナー版データと、を含む出力データを、ＭＩＣ６０を介して画像形成部１８へ出力する。
【０１６４】
なお、第１出力部５８は、印刷条件に含まれるトナー種情報に、白色トナーが含まれる場合には、記憶部５９に記憶した白色トナー版データを更に含む出力データを、ＭＩＣ６０を介して画像形成部１８へ出力する。白色トナー版データは、階調値「２５５」の白色領域が記録媒体Ｐに対応する全領域に指定されている。また、この白色トナー版データは、ハーフトーンエンジン５５によって各画素を２ビットで表す形式に変換されている。
【０１６５】
また、第１出力部５８は、クリアプロセッシング５６が出力したグロッサ１４に対するオンオフ情報を更に含む、出力データを、ＭＩＣ６０を介して画像形成部１８へ出力する。
【０１６６】
図２４は、ＭＩＣ６０と画像形成部１８を示す模式図である。
【０１６７】
ＭＩＣ６０は、ＤＦＥ５０と画像形成部１８とに接続されている（図１参照）。ＭＩＣ６０は、パッチ出力データ、および出力データを受け付ける。詳細には、ＭＩＣ６０は、レンダリング処理部５１の第２出力部５１Ｇから、印刷条件と、パッチ画像データと、を含むパッチ出力データを、受け付ける。また、ＭＩＣ６０は、出力データを、第１出力部５８から受け付ける。
【０１６８】
ＭＩＣ６０は、受け付けたパッチ出力データ、または出力データを、画像形成部１８へ出力する。
【０１６９】
画像形成部１８は、プリンタ機１２、グロッサ１４、および低温定着機１６を含む。画像形成部１８は、記録媒体Ｐを搬送する搬送路３０と、記録媒体Ｐを逆搬送させる逆搬送路３２と、を備えている。なお、プリンタ機１２は、詳細には、公知の電子写真方式の複数の感光体、感光体上に形成されたトナー像が転写される転写ベルト、転写ベルト上のトナー像を記録媒体Ｐに転写する転写装置、および記録媒体Ｐ上のトナー像を該記録媒体Ｐに定着させる定着機を備える。図２４に示す例では、プリンタ機１２には、シアン（Ｃ）、マゼンタ（Ｍ）、イエロー（Ｙ）、ブラック（Ｋ）の各々の有色トナーによる有色画像を形成するための感光体と、白色トナーによる白色画像を形成するための感光体と、クリアトナーを付与するための感光体と、を備える場合を示した。また、図示は省略するが、プリンタ機１２には、これらのトナー（ＣＭＹＫの有色トナー、白色トナー、クリアトナー）の各々を貯留するトナーカセットや、これらのトナーを感光体に供給する現像器などが備えられている。
【０１７０】
記録媒体Ｐは、図示を省略する搬送機構によって搬送路３０を搬送されることで、プリンタ機１２、グロッサ１４、低温定着機１６の設けられている位置を、この順に搬送される。そして、これらの機器によって順次処理が行われて画像形成および表面効果が付与された後に、図示を省略する搬送機構によって搬送路３０を搬送されて、画像形成部１８の外部へと排出される。
【０１７１】
図２４に示す例では、切替部２４、濃度測定部２０、光沢度測定部２２は、プリンタ機１２、グロッサ１４、および低温定着機１６の、記録媒体Ｐの搬送路３０に沿った搬送方向の下流側に設けられている。なお、濃度測定部２０および光沢度測定部２２は、プリンタ機１２に設けられた構成であってもよい。
【０１７２】
切替部２４は、記録媒体Ｐを反転させる機構である。例えば、両面印刷など、記録媒体Ｐを反転させる必要がある場合には、切替部２４が印刷条件に基づいて、記録媒体Ｐを反転させ、逆搬送路３２を介して再度記録媒体Ｐを、搬送路３０における感光体の上流側に相当する位置に戻す。
【０１７３】
ＭＩＣ６０は、パッチ出力データを受け付けた場合、パッチ出力データに含まれる各画像データ(有色パッチ画像データ、クリアパッチ画像データ、白色パッチ画像データ)と印刷条件を、プリンタ機１２へ出力する。また、ＭＩＣ６０は、パッチ出力データに含まれる印刷条件から、測定対象面情報を読取り、測定対象面情報に示される測定対象面の測定指示を、切替部２４、濃度測定部２０および光沢度測定部２２へ出力する。また、ＭＩＣ６０は、パッチ出力データに含まれる印刷条件を、切替部２４へ出力する。
【０１７４】
上述したように、パッチ出力データには、クリアパッチ画像データ、および白色パッチ画像データの少なくとも一方が含まれない場合がある。プリンタ機１２は、受け付けた印刷条件に応じて、受け付けた画像データ（有色パッチ画像データ、クリアパッチ画像データ、白色パッチ画像データ）に応じた画像（有色パッチ画像、クリアパッチ画像、白色パッチ画像）を、印刷条件に含まれる付与順に従って、印刷条件に含まれる媒体種情報によって示される種類の記録媒体Ｐに、印刷条件に含まれるトナー種情報によって示されるトナー（有色トナー、白色トナー、クリアトナー）を用いて形成する。
【０１７５】
このため、図１０および図１１に示すような印刷条件に応じて、有色パッチ画像６２（図１６参照）や、クリアパッチ画像６４や白色パッチ画像６６（図１８参照）が記録媒体Ｐに形成される。
【０１７６】
そして、印刷条件に応じて、有色パッチ画像、白色パッチ画像、クリアパッチ画像の形成された記録媒体Ｐが濃度測定部２０および光沢度測定部２２の位置に搬送されると、濃度測定部２０および光沢度測定部２２が、印刷条件に含まれる測定対象面情報に示される測定対象面側から有色パッチ画像の濃度および光沢度を測定する。そして、濃度測定部２０および光沢度測定部２２は、検出結果である、濃度測定値および光沢度測定値を、ＤＦＥ５０のレンダリング処理部５１へ送信する。
【０１７７】
一方、ＭＩＣ６０は、出力データを受け付けた場合、出力データに含まれる各画像データ(有色版データ、クリアトナー版データ)を対応する装置に振り分けるとともに、後処理機の制御を行う。より具体的には、ＭＩＣ６０は、出力データに含まれる、ＣＭＹＫの有色版データおよび印刷条件をプリンタ機１２に出力し、プリンタ機１２で用いるクリアトナー版データがある場合にはこれもプリンタ機１２に出力する。そして、ＭＩＣ６０は、出力データに含まれるオンオフ情報を用いて、グロッサ１４をオンまたはオフにして、低温定着機１６で用いるクリアトナー版データがある場合にはこれを低温定着機１６に出力する。グロッサ１４はオンオフ情報によって定着を行う経路と行わない経路とを切り替えてもよい。低温定着機１６はクリアトナー版データの有無によってオンまたはオフの切り替えやグロッサ１４と同様の経路の切り替えをしてもよい。
【０１７８】
次に、ＤＦＥ５０が実行する画像処理の手順を説明する。図２５は、ＤＦＥ５０が実行する画像処理の手順を示すフローチャートである。
【０１７９】
まず、受付部５１Ａが、印刷データ、または、パッチ印刷データをホスト装置１０から受け付ける（ステップＳ１００）。次に、判別部５１Ｂが、ホスト装置１０から受け付けたデータが、パッチ印刷データであるか否か、を判別する（ステップＳ１０２）。
【０１８０】
ホスト装置１０から受け付けたデータがパッチ印刷データである場合（ステップＳ１０２：Ｙｅｓ）、ステップＳ１０４へ進む。
【０１８１】
ステップＳ１０４では、第２出力部５１Ｇが、受け付けたパッチ印刷データに含まれる印刷条件に対応するパッチ画像データを、記憶部５９から読取る（ステップＳ１０４）。そして、第２出力部５１Ｇは、読取ったパッチ画像データと、印刷条件と、を含むパッチ出力データを、ＭＩＣ６０を介して画像形成部１８へ出力する（ステップＳ１０６）。
【０１８２】
パッチ出力データを受け付けた画像形成部１８は、パッチ出力データに含まれる印刷条件に応じて、パッチ出力データに含まれる有色パッチ画像データから有色パッチ画像を記録媒体Ｐに形成すると共に、印刷条件に応じて、白色パッチ画像およびクリアパッチ画像の少なくとも一方を記録媒体Ｐに形成する。なお、印刷条件によっては、上述したように、白色パッチ画像およびクリアパッチ画像の少なくとも一方を形成しない場合がある。
【０１８３】
そして、濃度測定部２０および光沢度測定部２２が、該印刷条件に含まれる測定対象面情報に示される測定対象面側から、記録媒体Ｐに形成された有色パッチ画像の濃度および光沢度を測定し、濃度測定値および光沢度測定値を、レンダリング処理部５１へ出力する。
【０１８４】
次に、取得部５１Ｈが、濃度測定部２０および光沢度測定部２２から、濃度測定値および光沢度測定値を取得する（ステップＳ１０８）。
【０１８５】
次に、生成部５１Ｉが、ステップＳ１０８で取得した濃度測定値および光沢度測定値と、ステップＳ１００で取得したパッチ印刷データに含まれる印刷条件に対応する、目標濃度情報８０および目標光沢度情報８２を用いて、階調補正情報を生成する（ステップＳ１１０）。
【０１８６】
次に、生成部５１Ｉは、該印刷条件に対応づけて、生成した階調補正情報を記憶部５９に記憶し（ステップＳ１１２）、本ルーチンを終了する。
【０１８７】
一方、上記ステップＳ１０２で、印刷データを受け付けたと判別すると（ステップＳ１０２：Ｎｏ）、ステップＳ１１４へ進む。
【０１８８】
ステップＳ１４４では、レンダリング処理部５１が、印刷データに含まれる有色版データを言語解釈し、ベクタ形式の有色版データをラスタ形式に変換すると共に、ＲＧＢ形式等で表現された色空間をＣＭＹＫ形式の色空間に変換して、ＣＭＹＫの各８ビットの有色版データを生成する（ステップＳ１１４）。
【０１８９】
次に、補正部５３が、ステップＳ１００で受け付けた印刷データに含まれる印刷条件に対応する階調補正情報を、記憶部５９から読取る（ステップＳ１１６）。そして、補正部５３は、読取った階調補正情報を用いて、ステップＳ１１４で生成したＣＭＹＫの各８ビットの有色版データの階調値を補正する（ステップＳ１１８）。
【０１９０】
次に、ハーフトーンエンジン５５が、補正後のＣＭＹＫの各８ビットの有色版データをハーフトーン処理し、ＣＭＹＫの各２ビットの有色版データを生成する（ステップＳ１２０）。
【０１９１】
次に、ステップＳ１００で受け付けた印刷データに、光沢制御版データが含まれる場合には（ステップＳ１２２：Ｙｅｓ）、クリアプロセッシング５６が、該光沢制御版データからクリアトナー版データを生成する（ステップＳ１２４）。そして、ステップＳ１２６へ進む。一方、ステップＳ１００で受け付けた印刷データに、光沢制御版データが含まれない場合には（ステップＳ１２２：Ｎｏ）。ステップＳ１２６へ進む。
【０１９２】
ステップＳ１２６では、第１出力部５８が、ステップＳ１００で受け付けた印刷データに含まれる印刷条件と、ステップＳ１２０で生成されたＣＭＹＫの各２ビットの有色版データと、ステップＳ１２４でクリアトナー版データが生成された場合にはクリアトナー版データと、を含む出力データを、ＭＩＣ６０を介して画像形成部１８へ出力する（ステップＳ１２６）。そして、本ルーチンを終了する。
【０１９３】
以上説明したように、本実施の形態のＤＦＥ５０（画像処理装置）は、取得部５１Ｈと、生成部５１Ｉと、補正部５３と、第１出力部５８と、を備える。取得部５１Ｈは、目標濃度および目標光沢度に対応する基準階調値の設定された有色パッチ画像領域を規定した有色パッチ画像データに基づいて、画像形成部によって記録媒体に形成された有色パッチ画像の、濃度測定値および光沢度測定値を取得する。生成部５１Ｉは、濃度測定値および光沢度測定値が、目標濃度および目標光沢度に一致するように、有色トナーを付与する有色領域を規定した有色版データの階調値を補正するための階調補正情報を生成する。補正部５３は、有色版データの階調値を、階調補正情報を用いて補正する。第１出力部５８は、補正された有色版データを画像形成部１８へ出力する。
【０１９４】
このように、本実施の形態では、有色パッチ画像の濃度のみではなく、光沢度についても測定し、濃度測定値と光沢度測定値を用いて、階調補正情報を生成する。そして、生成した階調補正情報を用いて、有色版データの階調値を補正する。このため、記録媒体Ｐ自体の光沢による影響などを加味した、階調補正を行うことができる。
【０１９５】
従って、本実施の形態のＤＦＥ５０（画像処理装置）は、目的とする光沢度および濃度を実現するための適切な階調補正を行うことができる、という効果を奏する。
【０１９６】
また、本実施の形態のＤＦＥ５０では、印刷品質の安定性を高めることができる。
【０１９７】
また、本実施の形態では、濃度測定値および光沢度測定値を用いて、階調補正情報を生成するため、画像形成対象の記録媒体Ｐの媒体種が、透明記録媒体ＰＡである場合であっても、透明記録媒体ＰＡ自体の光沢による影響を加味した階調補正を行うことができる。
【０１９８】
また、本実施の形態のＤＦＥ５０では、印刷条件に応じたパッチ画像データを用いて、記録媒体Ｐにパッチ画像を形成する。そして、形成された有色パッチ画像の、光沢度測定値および濃度測定値を用いて、印刷条件に対応する階調補正情報を生成する。そして、有色版データの階調値を、該有色版データの印刷条件に対応する階調補正情報を用いて補正する。
【０１９９】
このため、本実施の形態のＤＦＥ５０では、上記効果に加えて、印刷条件に応じて、目的とする光沢度および濃度を実現するための適切な階調補正を行うことができる。
【０２００】
このため、例えば、形成対象の記録媒体Ｐの媒体種が、透明記録媒体ＰＡである場合に限定されず、不透明記録媒体ＰＢである場合であっても、印刷条件に応じた階調補正を行うことができる。
【０２０１】
また、本実施の形態では、印刷条件に含まれるトナー種情報が、白色トナーを示すトナー種を含み、記録媒体Ｐに白色トナー７８を形成することを示す付与順を含む場合、記録媒体Ｐに該付与順に応じて、白色トナー７８と、有色トナー７４を付与する（図１１参照）。そして、記録媒体Ｐに白色トナー７８や有色トナー７４を用いて形成したパッチ画像を用いて光沢度測定および濃度測定を行い、階調補正情報を生成する。
【０２０２】
このように、記録媒体Ｐに白色トナー７８を付与した上で、有色トナー７４などを付与することで、白色トナー７８が有色トナー７４の下地層として機能する。このため、記録媒体Ｐの材質に影響を受けにくい印刷条件下で、有色版データの階調補正を行う事が可能となる。従って、本実施の形態のＤＦＥ５０では、上記効果に加えて更に、記録媒体Ｐの材質による影響を抑制した、階調補正を行うことができる。
【０２０３】
また、本実施の形態では、印刷条件に含まれる媒体種情報によって示される記録媒体Ｐの種類が、不透明記録媒体ＰＢである場合、不透明記録媒体ＰＢに形成したパッチ画像を用いて光沢度測定および濃度測定を行い、階調補正情報を生成する。ここで、不透明記録媒体ＰＢが例えば、濃色系の色紙（濃度の高い色紙）である場合、従来では、光沢やＣＭＹＫの有色画像の濃度が安定しにくい、といった問題があった。一方、本実施の形態では、印刷条件に応じた階調補正情報を生成するため、上記効果に加えて、記録媒体Ｐの材質による影響を更に抑制した階調補正を行うことができる。また、記録媒体Ｐに白色トナー７８を下地層として形成することで、更に、記録媒体Ｐの材質による影響を抑制した、階調補正を行うことができる。
【０２０４】
なお、本実施の形態では、生成部５１Ｉは、印刷条件に対応する階調補正情報を生成し、該印刷条件に対応づけて記憶部５９に記憶する場合を説明した。しかし、生成部５１Ｉは、条件の異なる複数種類の印刷条件の全てに対応する階調補正情報を生成し、全ての種類の印刷条件に対応する階調補正情報として、記憶部５９に記憶してもよい。
【０２０５】
（第２の実施の形態）
第１の実施の形態では、ＤＦＥ５０で、階調補正情報を生成するように構成したが、この構成に限定されない。
【０２０６】
すなわち、一の装置で行っていた複数の処理のいずれかを、一の装置とネットワークを介して接続する１以上の他の装置で行う構成にしてもよい。
【０２０７】
その一例として、本実施の形態の画像処理システムでは、ＤＦＥの機能の一部を、ネットワーク上のサーバ装置上に実装している。
【０２０８】
図２６は、本実施の形態に係る画像処理システムの構成を例示する図である。図２６に示すように、本実施の形態の画像処理システムは、ホスト装置１０と、ＤＦＥ３０５０と、ＭＩＣ６０と、プリンタ機１２と、グロッサ１４と、低温定着機１６と、クラウド上のサーバ装置３０６０とを備えている。グロッサ１４や低温定着機１６等の後処理装置は、これらに限定されるものではない。
【０２０９】
本実施の形態では、ＤＦＥ３０５０がインターネット等のネットワークを介して、サーバ装置３０６０と接続された構成となっている。また、本実施の形態では、第１の実施の形態のＤＦＥ５０のレンダリング処理部５１における生成部５１Ｉを、サーバ装置３０６０に設けた構成となっている。
【０２１０】
ホスト装置１０、ＤＦＥ３０５０、ＭＩＣ６０、プリンタ機１２、グロッサ１４、低温定着機１６の接続構成は、第１の実施の形態と同様である。
【０２１１】
まず、サーバ装置３０６０について説明する。図２７は、本実施の形態のサーバ装置３０６０の機能的構成を示すブロック図である。サーバ装置３０６０は、記憶部３０７０と、生成部３０６２と、通信部３０６５とを主に備えている。
【０２１２】
記憶部３０７０は、ＨＤＤやメモリ等の記憶媒体であり、第１の実施の形態の記憶部５９と同様のデータを記憶する。
【０２１３】
通信部３０６５は、ＤＦＥ３０５０との間で各種データや要求の送受信を行う。より具体的には、通信部３０６５は、ＤＦＥ３０５０、または濃度測定部２０および光沢度測定部２２から、濃度測定値および光沢度測定値を受信する。また、通信部３０６５は、生成した階調補正情報をＤＦＥ３０５０へ送信する。
【０２１４】
生成部３０６２は、第１の実施の形態の生成部５１Ｉと同様の処理を実行し、印刷条件に応じた階調補正情報を生成する。
【０２１５】
次に、ＤＦＥ３０５０について説明する。図２８は、本実施の形態のＤＦＥ３０５０の機能的構成を示すブロック図である。本実施の形態のＤＦＥ３０５０は、レンダリング処理部３０５１と、ｓｉ１部５２と、補正部５３と、ｓｉ２部５４と、ハーフトーンエンジン５５と、ｓｉ３部５７と、第１出力部５８と、を主に備える。ｓｉ１部５２、補正部５３、ｓｉ２部５４、ハーフトーンエンジン５５、ｓｉ３部５７、および第１出力部５８は、第１の実施の形態と同様である。
【０２１６】
本実施の形態のＤＦＥ３０５０は、第１の実施の形態のレンダリング処理部５１に代えて、レンダリング処理部３０５１を備える。レンダリング処理部３０５１は、生成部５１Ｉをサーバ装置３０６０へ設けた以外は、第１の実施の形態のレンダリング処理部５１と同様の構成である。
【０２１７】
次に、以上のように構成された本実施の形態に係る画像処理システムにおける、画像処理について説明する。図２９は、本実施の形態における、画像処理の流れを示すシーケンス図である。
【０２１８】
まず、ＤＦＥ３０５０のレンダリング処理部３０５１における第２出力部５１Ｇ（図９参照）が、第１の実施の形態と同様にして、パッチ出力データを画像形成部１８へ出力する出力処理を実行する（ステップＳ２００）。次に、取得部５１Ｈ（図９参照）が、有色パッチ画像の光沢度測定値および濃度測定値を第１の実施の形態と同様にして取得する（ステップＳ２０２）。
【０２１９】
次に、取得部５１Ｈは、取得した光沢度測定値および濃度測定値と、対応する印刷条件と、をサーバ装置３０６０へ送信する（ステップＳ２０４）。
【０２２０】
サーバ装置３０６０の生成部３０６２は、第１の実施の形態の生成部５１Ｉと同様にして、受信した印刷条件に対応する階調補正情報を生成する（ステップＳ２０６）。そして、通信部３０６５が、生成された階調補正情報と該印刷条件をＤＦＥ３０５０へ送信する（ステップＳ２０８）。
【０２２１】
レンダリング処理部３０５１では、受信した階調補正情報を、受信した印刷条件に対応づけて記憶部５９へ記憶する（ステップＳ２１０）。
【０２２２】
なお、クリアプロセッシング５６やハーフトーンエンジン５５などの処理は、第１の実施の形態と同様であるため、ここでは説明を省略する。
【０２２３】
このように本実施の形態では、階調補正情報の生成を、クラウド上のサーバ装置３０６０で行う。このため、本実施の形態では、第１の実施の形態と同様の効果を奏する他、複数のＤＦＥ３０５０が存在する場合でも、階調補正情報の生成や更新を一括して行うことができ、管理者の便宜となる。
【０２２４】
なお、本実施の形態では、クラウド上の単一のサーバ装置３０６０に、生成部３０６２を設け、サーバ装置３０６０で、階調補正情報の生成を行うように構成したが、これに限定されるものではない。
【０２２５】
例えば、クラウド上に２以上のサーバ装置を設け、上記各処理を、２以上のサーバ装置で分散させて実行するように構成してもよい。図３０は、クラウド上に２つのサーバ（第１サーバ装置３８６０と第２サーバ装置３８６１）を設けたネットワーク構成図である。図３０の例では、第１サーバ装置３８６０と第２サーバ装置３８６１とで、階調補正情報の生成処理を分散して行うように構成する。なお、各処理の各サーバ装置への分散の形態は、任意に行うことができる。
【０２２６】
すなわち、ＤＦＥ３０５０に最低限の構成を設ければ、ＤＦＥ３０５０で行う処理の一部または全部をクラウド上の一つのサーバ装置に集中して設けたり、複数のサーバ装置に分散させて設けたりすることは任意に行うことができる。
【０２２７】
言い換えると、上述の例のように、一の装置で行っていた複数の処理のいずれかを、一の装置とネットワークを介して接続する１以上の他の装置で行う構成にすることができる。
【０２２８】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０２２９】
つまり、他の装置が１つの場合では、一の装置と他の装置間で行われるデータの入出力処理を含むような構成となり、他の装置が２以上の場合では、一の装置と他の装置間、および、第一の他の装置・第二の他の装置間のように他の装置間同士でのデータの入出力処理を含むような構成となる。
【０２３０】
また、本実施の形態では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０２３１】
上述した実施の形態のホスト装置１０、ＤＦＥ５０、３０５０、サーバ装置３０６０、第１サーバ装置３８６０、第２サーバ装置３８６１のハードウェア構成について説明する。図３１は、ホスト装置１０、ＤＦＥ５０、３０５０、サーバ装置３０６０のハードウェア構成図である。ホスト装置１０、ＤＦＥ５０、３０５０、サーバ装置３０６０、第１サーバ装置３８６０、第２サーバ装置３８６１は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０２３２】
上記実施の形態のＤＦＥ５０、３０５０、サーバ装置３０６０、第１サーバ装置３８６０、および第２サーバ装置３８６１で実行される画像処理プログラム（画像処理アプリケーションを含む。以下同じ。）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０２３３】
また、上記実施の形態のＤＦＥ５０、３０５０、サーバ装置３０６０、第１サーバ装置３８６０、および第２サーバ装置３８６１で実行される画像処理プログラムを、インターネット等のネットワークに接続されたコンピュータ上に格納し、ネットワーク経由でダウンロードさせることにより提供するように構成してもよい。また、上記実施の形態のＤＦＥ５０、３０５０、サーバ装置３０６０、第１サーバ装置３８６０、および第２サーバ装置３８６１で実行される画像処理プログラムをインターネット等のネットワーク経由で提供または配布するように構成してもよい。
【０２３４】
また、上記実施の形態のＤＦＥ５０、３０５０、サーバ装置３０６０、第１サーバ装置３８６０、および第２サーバ装置３８６１で実行される画像処理プログラムを、ＲＯＭ等に予め組み込んで提供するように構成してもよい。
【０２３５】
なお、本発明は上記各実施の形態そのままに限定されるものではなく、実施段階ではその要旨を逸脱しない範囲で構成要素を変形して具体化できる。また、上記各実施の形態に開示されている複数の構成要素の適宜な組み合わせにより、種々の発明を形成できる。例えば、上記実施の形態に示される全構成要素から幾つかの構成要素を削除してもよい。さらに、異なる実施の形態にわたる構成要素を適宜組み合わせてもよい。また、種々の変形が可能である。
【０２３６】
上述した実施の形態において、画像処理システムは、ホスト装置１０、ＤＦＥ５０、３０５０、ＭＩＣ６０、プリンタ機１２、グロッサ１４、および低温定着機１６を備えるように構成したが、これに限らない。例えば、ＤＦＥ５０、ＭＩＣ６０およびプリンタ機１２を一体的に形成して１つの画像形成装置として構成するようにしてもよいし、更に、グロッサ１４および低温定着機１６を備えた画像形成装置として形成するようにしてもよい。
【０２３７】
上述した実施の形態の画像処理システムにおいては、ＣＭＹＫの複数の有色トナーを用いて画像を形成するようにしたが、１色の有色トナーを用いて画像を形成してもよい。
【０２３８】
なお、上述した実施の形態では、ＭＩＣ６０を備えた構成としているが、これに限定されるものではない。上述したＭＩＣ６０が行う処理、機能をＤＦＥ５０等の他の装置にもたせて、ＭＩＣ６０を設けない構成としてもよい。
【符号の説明】
【０２３９】
１８  画像形成部
２０  濃度測定部
２２  光沢度測定部
５０  ＤＦＥ
５１Ｇ  第２出力部
５１Ｈ  取得部
５１Ｉ  生成部
５３  補正部
５８  第１出力部
５９  記憶部
【先行技術文献】
【特許文献】
【０２４０】
【特許文献１】特開２０１２−３２７１４号公報
【図１】
2016063326.tif 000003
【図２】
2016063326.tif 000004
【図３】
2016063326.tif 000005
【図４】
2016063326.tif 000006
【図５】
2016063326.tif 000007
【図６】
2016063326.tif 000008
【図７】
2016063326.tif 000009
【図８】
2016063326.tif 000010
【図９】
2016063326.tif 000011
【図１０】
2016063326.tif 000012
【図１１】
2016063326.tif 000013
【図１２】
2016063326.tif 000014
【図１３】
2016063326.tif 000015
【図１４】
2016063326.tif 000016
【図１５】
2016063326.tif 000017
【図１６】
2016063326.tif 000018
【図１７】
2016063326.tif 000019
【図１８】
2016063326.tif 000020
【図１９】
2016063326.tif 000021
【図２０】
2016063326.tif 000022
【図２１】
2016063326.tif 000023
【図２２】
2016063326.tif 000024
【図２３】
2016063326.tif 000025
【図２４】
2016063326.tif 000026
【図２５】
2016063326.tif 000027
【図２６】
2016063326.tif 000028
【図２７】
2016063326.tif 000029
【図２８】
2016063326.tif 000030
【図２９】
2016063326.tif 000031
【図３０】
2016063326.tif 000032
【図３１】
2016063326.tif 000033